(57)【要約】【課題】簡易な構造でコンタクトの露出を防止し、使用時には滑らかに動作してコンタクトが露出するようにする。【解決手段】収納部６１とアーム部６２と軸部６３とよりなり、軸部６３がケース（上ケース）３０の内面側に設けられた軸受部３５に回動自在に軸支され、収納部６１がケース３０に設けられた開口３４を介して外部に突出されてなるコンタクトカバー６０と、軸部６３にコイル部８２が巻回され、収納部６１が外部に突出する方向にコンタクトカバー６０を回動付勢するねじりコイルバネ８０とを有する。コンタクト７０はねじりコイルバネ構造とされ、一端側の接触部７２は収納部６１に収納される。被充電機器９０が装着されることにより、収納部６１が押され、コンタクトカバー６０が回動して接触部７２が露出する。【選択図】      図５
2004266956.tif 000002
【特許請求の範囲】
【請求項１】
充電装置本体を構成するケースからコンタクトの接触部が突出され、被充電機器が装着されることにより、その被充電機器の端子に上記接触部が接触して被充電機器を充電する充電装置であって、
収納部と、その収納部に続くアーム部と、そのアーム部に続く軸部とよりなり、軸部が上記ケースの内面側に設けられた軸受部に回動自在に軸支され、収納部が上記ケースに設けられた開口を介して外部に突出されてなる樹脂製コンタクトカバーと、
上記軸部にコイル部が巻回され、上記収納部が外部に突出する方向に上記コンタクトカバーを回動付勢するねじりコイルバネとを具備し、
上記コンタクトはねじりコイルバネ構造とされて、そのコイル部が上記軸部に巻回され、かつねじりコイルバネ構造の一端側に形成されている上記接触部は上記開口を介して突出されて上記収納部に収納されており、
被充電機器が装着されることにより、その被充電機器によって上記収納部が押され、上記コンタクトカバーが回動して上記接触部が露出する構造とされていることを特徴とする充電装置。
【請求項２】
請求項１記載の充電装置において、
上記収納部は上記コンタクトカバーの回動方向と板面が平行な一対の側板と、それら側板を外周側で連結する周壁とを具備し、一対の側板は上記接触部の両側に近接して位置していることを特徴とする充電装置。
【発明の詳細な説明】
【０００１】
【発明の属する技術分野】
この発明はコードレス電話機や携帯電話機あるいは充電式電池等の被充電機器を充電するために使用する充電装置に関する。
【０００２】
【従来の技術】
被充電機器の端子と接触する充電用のコンタクトが常に露出していると、短絡事故やコンタクトの変形を生じる虞れがあり、このためこのような短絡事故やコンタクトの変形を防止すべく、充電装置の不使用時にはコンタクトの露出を防止して保護することが行われている。
図６乃至８はこのような保護構造を有する充電装置の従来構成例として、充電式電池用の充電装置の構造を示したものであり、充電装置本体を構成するケース１１は図６に示したように保持台部１２上に突出する一対の側壁部１３と後壁部１４とを有し、これら側壁部１３と後壁部１４とで充電式電池を保持する構造とされている。
後壁部１４の内側壁１４ａの下方には、図８に示したように充電式電池１５の装着時の押し込み方向と直交する水平方向を軸として回動自在にコンタクトホルダ１６が支持されている。コンタクトホルダ１６は図７に示したように円柱形に形成され、その周壁の一部が全長にわたってほぼ９０°の範囲で切り欠かれてコンタクト保持部１６ａが形成されている。コンタクト保持部１６ａには一対のコンタクト１７が配設されており、コンタクトホルダ１６の側面にはピン１８が突設されている。
【０００３】
コンタクトホルダ１６の側面には駆動板１９が位置され、この駆動板１９に形成されている長穴１９ａにピン１８が挿入されている。駆動板１９の先端縁は充電式電池１５が装着されていない状態で、コンタクトホルダ１６の先端縁よりも前方に位置するようにされており、また後壁部１４の内側壁１４ａに形成された案内穴１４ｂに案内されて、充電式電池１５の押し込み方向に摺動するようにされている。
コンタクトホルダ１６の側面とケース１１との間には付勢手段としてねじりコイルバネ２１が掛け渡されている。図８中、２２はねじりコイルバネ２１の一端側を係止する係止部を示す。
【０００４】
この充電装置では充電式電池１５を保持台部１２上を滑らせて押し込むと、図８（１）に示したように充電式電池１５の先端面が駆動板１９に当接し、駆動板１９が押されて後退することによりコンタクトホルダ１６が回動する。
コンタクトホルダ１６が回動すると、図８（２）に示したようにコンタクト保持部１６ａの縁部が充電式電池１５の先端面と当接し、さらに充電式電池１５を押し込むと、コンタクトホルダ１６はさらに回動して図８（３）に示した状態となる。
そして、この状態でコンタクト保持部１６ａに配設されているコンタクト１７は充電式電池１５の端子１５ａと接触し、充電式電池１５が充電される。
充電が完了し、充電式電池１５を引き抜くと、ねじりコイルバネ２１の復元力により、コンタクトホルダ１６及び駆動板１９は図８（１）に示した元の位置に復帰し、これによりコンタクト１７は隠れ、露出が防止されるものとなっている（例えば、特許文献１参照）。
【０００５】
【特許文献１】
特開平１１−１５４５３６号公報
【０００６】
【発明が解決しようとする課題】
ところで、上記のような構成とされた充電装置ではコンタクトホルダ１６の回動によって隠れていたコンタクト１７が露出する構造となっているものの、コンタクトホルダ１６を回動させるために、コンタクトホルダ１６のピン１８と長穴１９ａが係合された駆動板１９を使用するものとなっているため、構造が複雑であり、また駆動板１９の直線運動がコンタクトホルダ１６の回動運動に変換されることから、滑らかに動作しにくいものとなっている。
【０００７】
さらに、コンタクト１７はコンタクトホルダ１６のコンタクト保持部１６ａに配設されているため、コンタクト１７もコンタクトホルダ１６と一体に回動する構造となっており、よってこのコンタクト１７に対する充電装置内での配線が複雑になるという欠点もある。
この発明の目的はこれら問題に鑑み、簡易な構造で、不使用時にはコンタクトの露出が防止され、使用時には滑らかに動作してコンタクトが露出する構造とされた充電装置を提供することにある。
【０００８】
【課題を解決するための手段】
請求項１の発明によれば、充電装置本体を構成するケースからコンタクトの接触部が突出され、被充電機器が装着されることにより、その被充電機器の端子に接触部が接触して被充電機器を充電する充電装置は、収納部とその収納部に続くアーム部とそのアーム部に続く軸部とよりなり、軸部がケースの内面側に設けられた軸受部に回動自在に軸支され、収納部がケースに設けられた開口を介して外部に突出されてなる樹脂製コンタクトカバーと、上記軸部にコイル部が巻回され、上記収納部が外部に突出する方向にコンタクトカバーを回動付勢するねじりコイルバネとを具備し、コンタクトはねじりコイルバネ構造とされてそのコイル部が上記軸部に巻回され、かつねじりコイルバネ構造の一端側に形成されている上記接触部は上記開口を介して突出されて上記収納部に収納されており、被充電機器が装着されることにより、その被充電機器によって上記収納部が押され、コンタクトカバーが回動して上記接触部が露出する構造とされる。
【０００９】
請求項２の発明では請求項１の発明において、上記収納部はコンタクトカバーの回動方向と板面が平行な一対の側板と、それら側板を外周側で連結する周壁とを具備し、一対の側板は上記接触部の両側に近接して位置しているものとされる。
【００１０】
【発明の実施の形態】
この発明の実施の形態を図面を参照して実施例により説明する。
図１はこの発明による充電装置の一実施例として、携帯電話機用の充電装置の外観構造概要を示したものであり、充電装置本体を構成するケースは上ケース３０と下ケース４０とよりなり、上ケース３０は保持台部３１上に突出する前壁部３２と後壁部３３とを有するものとされる。
前壁部３２の内側壁３２ａには開口を介してロック爪５０が突出されており、このロック爪５０は携帯電話機に設けられているロック部と係合するものとなっている。ロック爪５０は上ケース３０内部に設けられているバネにより外部に突出する方向に付勢されている。
一方、後壁部３３の内側壁３３ａ及びそれに続く保持台部３１には、それらにまたがって開口３４が２箇所に形成されており、これら開口３４を介して一対のコンタクトカバー６０の収納部６１がそれぞれ外部に突出されている。なお、図１では隠れて見えないが、これら収納部６１にはコンタクトの接触部が収納されている。
図２はコンタクトカバー６０及びコンタクトを省略して開口３４の形状を示したものである。
【００１１】
図３は一対のコンタクトカバー６０と、一対のコンタクト７０と、コンタクトカバー６０を回動付勢するねじりコイルバネ８０の形状及びそれらの結合状態を示したものであり、この図３を参照してこれら部品の構成について説明する。
コンタクトカバー６０は収納部６１と、その収納部６１に続くアーム部６２と、そのアーム部６２に続く軸部６３とよりなり、軸部６３はアーム部６２の伸長方向に対して直交方向に設けられている。このコンタクトカバー６０は軸部６３を中心に回動動作するものとされる。
収納部６１はコンタクトカバー６０の回動方向と板面が平行な一対の側板６４と、それら側板６４を外周側で連結する周壁６５とよりなり、側板６４の軸部６３側の下半部には切り欠き６６が設けられて幅狭とされている。
アーム部６２は一対の側板６４の下端に沿って設けられており、その軸部６３と反対側の端部には係止突起６７が設けられている。コンタクトカバー６０は合成樹脂製とされる。
ねじりコイルバネ８０はコ字状をなす中間部８１と、その中間部８１の両端に位置する一対のコイル部８２と、それらコイル部８２からそれぞれ延長されてなる延長部８３とよりなるものとされる。
【００１２】
両コンタクトカバー６０の軸部６３はコイル部８２にそれぞれ挿入され、つまりねじりコイルバネ８０はそのコイル部８２が軸部６３の回りを巻回するように一対のコンタクトカバー６０に取り付けられ、その両延長部８３の先端はそれぞれコンタクトカバー６０のアーム部６２に設けられている係止突起６７に引っかけられて係止される。ねじりコイルバネ８０の材料には例えばバネ性ステンレス線が用いられる。
コンタクト７０は線材によって構成され、ねじりコイルバネ構造を有するものとされる。両コンタクト７０のコイル部７１はねじりコイルバネ８０と同様、コンタクトカバー６０の軸部６３の回りにそれぞれ巻回され、一端側はコンタクトカバー６０の収納部６１の一対の側板６４間に延長されて接触部７２が形成されている。他端側は図３に示したように延長され、その先端は下方に折り曲げられている。なお、接触部７２はこの例ではＵ字形をなすように折り曲げられて形成されている。
【００１３】
コンタクト７０を構成する線材には例えばピアノ線が使用され、表面にはＮｉ（下地）／Ａｕメッキが施されているものとされる。
上記のような構成とされたコンタクトカバー６０、コンタクト７０及びねじりコイルバネ８０は上ケース３０に取り付けられる。図４はこの取り付け状態を上ケース３０の内面側から見て示したものである。
上ケース３０の内面には図４に示したように４つの軸受部３５と、２つのバネ係止部３６と、２つのコンタクト係止部３７が突出形成されており、一対のコンタクトカバー６０はその収納部６１が上ケース３０の開口３４に挿入位置され、軸部６３の両端がそれぞれ軸受部３５に嵌め込まれて回動自在に軸支される。
ねじりコイルバネ８０の中間部８１は２つのバネ係止部３６によって係止される。コンタクト係止部３７には溝３７ａが形成されており、各コンタクト７０の接触部７２と反対側の基端部はこの溝３７ａに嵌め込まれて係止される。
なお、図４中、３８は上ケース３０と下ケース４０とをネジで組み立て一体化する際に使用するネジ穴が形成されたボスを示す。
【００１４】
上記のようにコンタクトカバー６０、コンタクト７０及びねじりコイルバネ８０を上ケース３０に取り付けることにより、両コンタクトカバー６０の収納部６１は図１に示したように開口３４を介して外部に突出され、また収納部６１が外部に突出する方向にコンタクトカバー６０はねじりコイルバネ８０によって回動付勢される。
収納部６１に収納されているコンタクト７０の接触部７２も開口３４を介して外部に突出されており、その両側には収納部６１の一対の側板６４が近接して位置している。
【００１５】
次に、上記のような構成を有する充電装置に携帯電話機が装着された時のコンタクトカバー６０の動作について、図５を参照して説明する。
図５（１）は携帯電話機９０が上ケース３０の前壁部３２と後壁部３３との間に挿入されて、携帯電話機９０の先端がコンタクトカバー６０の収納部６１に当接した携帯電話機９０とコンタクトカバー６０の接触開始状態を示し、図５（２）は携帯電話機９０の端子９１と、コンタクト７０の接触部７２との接触開始状態、図５（３）は携帯電話機９０の装着完了状態（充電状態）をそれぞれ示す。なお、図中、１００はコンタクト７０の基端部が接続されているプリント配線板を示す。
コンタクトカバー６０はその収納部６１が携帯電話機９０によって押されることにより、図５（１）の状態から図５（２）に示したように回動し、これによりコンタクト７０の接触部７２が収納部６１から露出する。
露出した接触部７２は携帯電話機９０の端子９１と接触し、携帯電話機９０の装着が完了した図５（３）の状態では接触部７２は図５（２）の状態より後方に押し込まれ、そのバネ性（弾性）により所要の接触圧で端子９１と確実に接触するものとなる。
【００１６】
充電が完了し、携帯電話機９０を取り外すと、ねじりコイルバネ８０の復元力により、コンタクトカバー６０は図５（１）の元の状態に復帰し、コンタクト７０の接触部７２は収納部６１に収納されて保護され、これにより短絡事故やコンタクト７０の変形が防止される。
なお、この例ではコンタクト７０の接触部７２の両側には収納部６１の一対の側板６４が近接して位置しており、これら側板６４によってコンタクト７０はその配列方向（左右方向）の位置が規制されるため、位置ずれが生じることもなく、確実に携帯電話機９０の端子９１と接触するものとなっている。
【００１７】
【発明の効果】
以上説明したように、この発明によれば不使用時にはコンタクトの露出が防止されて保護されるため、短絡事故やコンタクトの変形を防止することができ、コンタクトの保護機構は回動動作するコンタクトカバーと、そのコンタクトカバーの回動軸（軸部）にコイル部が係合された復帰用のねじりコイルバネとよりなるため、構造が簡易で、その分小スペース化を図ることができ、かつ滑らかな動作が得られるものとなっている。
また、コンタクトもねじりコイルバネ構造とされて、そのコイル部がコンタクトカバーの復帰用のねじりコイルバネと同様、コンタクトカバーの回動軸に係合されているため、この点でも小スペース化を図ることができ、かつ被充電機器の端子との確実な接触状態が得られるものとなっている。
【図面の簡単な説明】
【図１】この発明による充電装置の一実施例の外観構造概略を示す斜視図。
【図２】図１の一部省略した斜視図。
【図３】図１に示した充電装置の要部構造を示す斜視図。
【図４】図３に示した構造の取り付け状態を説明するための図。
【図５】図３に示した構造の動作を説明するための図。
【図６】充電装置の従来構成例を示す斜視図。
【図７】図６に示した充電装置の要部構造を示す斜視図。
【図８】図７に示した構造の動作を説明するための図。
【図１】
2004266956.tif 000003
【図２】
2004266956.tif 000004
【図３】
2004266956.tif 000005
【図４】
2004266956.tif 000006
【図５】
2004266956.tif 000007
【図６】
2004266956.tif 000008
【図７】
2004266956.tif 000009
【図８】
2004266956.tif 000010